(57)【特許請求の範囲】
【請求項１】
遅延させたビデオ信号と、遅延させていないビデオ信号との間の差分を形成することによって、ビデオ信号におけるノイズ成分を求める方法であって、
前記の遅延は、遅延させた画像のビデオ信号と、直後の画像のビデオ信号とが同時刻に得られるのに必要な時間に相当する遅延である形式の、ノイズ成分を求める方法において、
当該の方法は、
ａ）  前記の遅延させたビデオ信号の振幅（Ｂ）と、遅延させていないビデオ信号の振幅（Ａ）とを求めるステップと、
ｂ）  ステップａ）の結果に依存して、前記の遅延させたビデオ信号と、遅延させていないビデオ信号との差分を２つの別個の処理チャネル（３２，３３）のうちの少なくとも１つに供給するステップと、
ｃ）  各処理チャネル（３２，３３）にて当該ビデオ信号間の差分の絶対値（|Ｂ−Ａ|H，|Ｂ−Ａ|L）を処理するステップと、
ｄ）  各処理チャネルにて、複数の探索窓内で、前記のビデオ信号間の差分の絶対値（|Ｂ−Ａ|H，|Ｂ−Ａ|L）の最大値（Ｍ11，…，Ｍ66）を各探索窓に対して計算するステップと、
ｅ）  各処理チャネル（３２，３３）にて前記の複数の最大値（Ｍ11，…，Ｍ66）から最小値を求めるステップとを有し、該最小値がノイズ信号の各ピーク値（ＰＨ，ＰＬ）に相応することを特徴とする、
ビデオ信号におけるノイズ成分を求める方法。
【請求項２】
前記ビデオ信号の後続の信号処理にノイズ信号のピーク値（ＰＨ，ＰＬ）を個々に使用する、または該ピーク値の最大値または平均値を使用する、
請求項１に記載の方法。
【請求項３】
振幅レンジの異なるビデオ信号を、別個の処理チャネルに割り当てる、
請求項１に記載の方法。
【請求項４】
前記の振幅レンジが重なり、
該重なったレンジ内の振幅レンジを有するビデオ信号を両方の処理チャネルに並行して割り当てる、
請求項３に記載の方法。
【請求項５】
ＲＧＢ信号に対しても、ＹＵＶ信号に対しても共に実行される、
請求項１に記載の方法。
【請求項６】
ノイズ信号決定に対して探索窓を排除し、ここで当該排除が行われるのは、ビデオ信号の振幅が前記探索窓にて処理チャネル（３２，３３）の許容振幅レンジ外にある場合である、
請求項１に記載の方法。
【請求項７】
探索窓を排除する場合、振幅最大値を所定のデータワードによって置き換える、
請求項６に記載の方法。
【請求項８】
すべての探索窓を排除する場合、ノイズ信号の各ピーク値（ＰＨ，ＰＬ）を別の所定のデータワードによって置き換える、
請求項６に記載の方法。
【請求項９】
前記の所定のデータワードを、ノイズ信号の最後の有効なピーク値（ＰＨ，ＰＬ）によってそれぞれ置き換える、
請求項８に記載の方法。
【請求項１０】
ビデオ信号におけるノイズ成分を求める回路であって、
該回路は遅延回路を有しており、
該遅延回路によって、先行する画像のビデオ信号が遅延されて、この先行する画像と、直後の画像のビデオ信号とが並行して評価装置の入力側に同時に並行して加えられる形式の、ビデオ信号におけるノイズ成分を求める回路において、
前記評価装置（３１）は、差分出力信号（|Ｂ−Ａ|）を形成する差分および絶対値形成手段（４３）と、ビデオ信号の振幅を求める手段（４１ａ，４１ｂ）と、論理結合手段（４２ａ，４２ｂ）とを含んでおり、
該論理結合手段により、所定の規則にしたがって前記差分出力信号が少なくとも２つの別個の処理チャネル（３２，３３）に供給され、
各処理チャネルは、最大ピーク値測定回路（３４ａ，３４ｂ）を有しており、
該最大ピーク測定回路の入力側はそれぞれ前記評価装置（３１）の出力側に接続されており、
該評価装置により、所定の探索窓内で、差分出力信号（|Ｂ−Ａ|）の最大値がそれぞれ求められ、
当該最大値を記憶する第１のレジスタ（３５ａ，３５ｂ）が設けられており、
最小ピーク値測定回路（３６ａ，３６ｂ）が設けられており、該最大ピーク測定回路の入力側は前記の第１のレジスタ（３５ａ，３５ｂ）に接続されており、
前記の最小ピーク値測定回路（３６ａ，３６ｂ）の最大値を記憶する第２のレジスタ（３７ａ，３７ｂ）が設けられており、
ノイズ信号のピーク値（ＰＨ，ＰＬ）が該第２のレジスタの出力側で取り出されることを特徴とする、
ビデオ信号におけるノイズ成分を求める回路。
【請求項１１】
前記の最大ピーク値測定回路（３４ａ，３４ｂ）および第１のレジスタ（３５ａ，３５ｂ）は第１のスタートパルス（Ｓ１）によってトリガされる、
請求項１０に記載の回路。
【請求項１２】
前記の最小ピーク値測定回路（３６ａ，３６ｂ）および第２のレジスタ（３７ａ，３７ｂ）は第２のスタートパルス（Ｓ２）によってトリガされる、
請求項１０に記載の回路。
【請求項１３】
前記評価装置は、２対１マルチプレクサ（４４ａ，４４ｂ）を含んでおり、
該２対１マルチプレクサによって選択的に切り換えが行われ、前記のビデオ信号間の差分の絶対値（|Ｂ-Ａ|）または第１の所定のデータワード（ＩＮＶ）が評価装置の出力側に導通される、
請求項１０に記載の回路。
【請求項１４】
各処理チャネルに２対１マルチプレクサ（４４ａ，４４ｂ）がそれぞれ設けられている、
請求項１３に記載の回路。
【請求項１５】
復号器（５４）が設けられており、
該復号器によって、ノイズ信号の誤ったピーク値（ＰＨ，ＰＬ）が第２の所定のデータワードによって、またはノイズ信号の最後の有効なピーク値（ＰＨ，ＰＬ）によって置き換えられる、
請求項１０に記載の回路。
【請求項１６】
フィルムを反射照明または透過照明することによってビデオ信号を形成するフィルムスキャナにおいて、
該フィルムスキャナは、請求項１０から１５までのいずれか１項に記載の回路を有していることを特徴とする
フィルムスキャナ。
【発明の詳細な説明】
【０００１】
【発明の属する技術分野】
本発明は、請求項１の上位概念に記載された、遅延させたビデオ信号と、遅延させていないビデオ信号と間の差分を形成することによってビデオ信号におけるノイズ成分を決定する方法と、請求項１０の上位概念に記載されたビデオ信号におけるノイズ成分を決定する回路とに関し、ここでこの回路は遅延装置を有し、この遅延装置によって、先行する画像のビデオ信号が遅延されて、この先行する画像が、直後の画像のビデオ信号と並行して評価装置の入力側に同時に並行して加えられる。本発明はまた請求項１６の上位概念に記載された、フィルムを反射照明または透過照明（illuminating or transilluminating）することによってビデオ信号を形成するフィルムスキャナに関する。
【０００２】
【従来の技術】
上記のタイプの方法は、ＥＰ−Ａ０６２９０８１に記載されている。公知の方法では、連続する異なる２つのフレームから得られるビデオ信号の振幅を互いに比較する。２つのビデオ信号のうちの１つは遅延装置で遅延され、これによってこれらのビデオ信号が処理のために差分値および絶対値形成ユニットの入力側に並行して加えられるようにする。このようにして得られた測定値から、適切な複数の探索窓内で最大値が決定され、つぎにこれらの最大値から最小値が決定される。静止画の場合、このようにして得られた最小値は、ノイズ信号の探索するピーク値に相応する。このように処理されるビデオ信号が、フィルムのスキャンニングによって形成される場合、いわゆるフィルムグレイン（film grain）がＲＧＢフィルム層の濃度に極めて大きく依存してしまうという問題が生じる。これはフィルム処理中の非線形ガンマ特性の結果である。ネガティブフィルムの場合、フィルムグレインノイズは暗い領域では小さくなり、これに対してフィルムグレインノイズの振幅は、そこと比較すると明るい領域では格段に大きくなる。しかしながら公知の方法では、このようなフィルムグレインノイズのほんの一部分しか検出することができないのである。
【０００３】
【特許文献１】
欧州特許明細書第０６２９０８１号
【０００４】
【発明が解決しようとする課題】
上記を出発点とすると、本発明の課題は、ノイズ信号をより広範囲に測定することの可能な方法を提供することである。
【０００５】
本発明の別の課題は、本発明の方法を実施するのに有利な回路を提供することである。
【０００６】
本発明の最後の課題は、本発明の回路を有するフィルムスキャナを提案することである。
【０００７】
【課題を解決するための手段】
上記の課題は、請求項１の方法によって解決される。
【０００８】
請求項１に記載された本発明の手段の場合、遅延させたビデオ信号と、遅延させていないビデオ信号との間の差分を形成することによってビデオ信号におけるノイズ成分を決定する。この方法はつぎのステップからなる。すなわち、
ａ）  ビデオ信号の振幅を決定する；
ｂ）  ステップａ）の結果に依存して、遅延させたビデオ信号と、遅延させていないビデオ信号を少なくとも２つの別個の処理チャネルに割り当てる；
ｃ）  各処理チャネルにおいてビデオ信号間の差分の絶対値を形成する；
ｄ）  これらのビデオ信号間の差分の絶対値における最大値を、複数の探索窓内でそれぞれ計算する；
ｅ）  各処理チャネルにおいて上記の最大値から最小値を決定し、ここでこの最小値はノイズ信号の各ピーク値に相応する。
【０００９】
上記の別の課題は、請求項１０の回路によって解決される。
【００１０】
ビデオ信号におけるノイズ成分を決定する本発明の回路は遅延装置を有しており、この遅延装置によって、先行する画像のビデオ信号が遅延されて、この先行する画像と、直後の画像のビデオ信号とが並行して評価装置の入力側に同時に並行して加えられる。この評価装置は、差分出力信号を形成する差分および絶対値形成手段と、ビデオ信号の振幅を決定する手段と、論理結合手段とを含んでおり、これは、所定の規則にしたがって、差分出力信号を少なくとも２つの別個の処理チャネルに供給する。各処理チャネルは、最大ピーク値測定回路を有しており、その入力側はそれぞれ上記の論理結合手段の出力側に接続されており、上記の最大ピーク値測定回路は、第１のスタート信号によってトリガされ、またこの最大ピーク値測定回路によって、所定の探索窓内で差分出力信号の最大値がそれぞれ決定される。さらに、最大値を記憶する第１のレジスタと、最小ピーク値測定回路とが設けられており、その入力側は第１のレジスタの出力側に接続されており、この最小ピーク値回路に第２のスタート信号が供給される。最後に、最小ピーク値測定回路の最大値を記憶するために第２のレジスタが設けられており、この第２のレジスタに第２のスタート信号が同様に供給され、この第２のレジスタの出力側でノイズ信号のピーク値を取り出すことができる。
【００１１】
フィルムスキャナについての課題は、請求項１６に記載されたフィルムスキャナによって解決される。
【００１２】
【発明の実施の形態および利点】
この方法の１つの利点は、少なくとも２つの別個のピーク値がノイズ信号に対して決定されることである。この利点が明らかになるのは殊にビデオ信号がフィルムスキャナによって形成される場合である。フィルムグレインノイズは、フィルムの露光量または個別のカラー層の露光量に極めて大きく依存する。本発明の方法により、ビデオ信号におけるノイズ抑圧を改善することができ、ひいては画質を改善することが可能である。
【００１３】
本発明の方法の１発展形態では、上記のビデオ信号の後続の信号処理にノイズ信号のピーク値が個々に使用され、またはそれらの最大値またはそれらの平均値が使用される。
【００１４】
有利には振幅レンジの異なるビデオ信号は、別個の処理チャネルに割り当てられる。例えば、４０％〜１００％および０％〜６０％の振幅レンジを選択することができ、ここで１００％は最大許容振幅に相応する。
【００１５】
さらに、振幅レンジが重なり、この重なったレンジ内の振幅レンジを有するビデオ信号を両方の処理チャネルに同時に割り当てることが可能である。
【００１６】
１変形実施形態では、本発明による方法は、ＲＧＢ信号に対しても、ＹＵＶ信号に対しても共に実行される。
【００１７】
誤ったノイズ測定を回避するため、ノイズ信号決定に対して探索窓を排除することができ、ここでこの排除が行われるのは、このビデオ信号の振幅がこの探索窓において処理チャネルの許容振幅レンジ外にある場合である。
【００１８】
有利には、探索窓を排除する場合、振幅最大値を所定のデータワードによって置き換える。すべての探索窓を排除する場合、ノイズ信号の各ピーク値を所定の別のデータワードによって置き換えることができる。
【００１９】
最後に、別の所定のデータワードを、ノイズ信号の最後の有効なピーク値によってそれぞれ置き換えることも可能である。
【００２０】
本発明の１実施形態では、最大ピーク値測定回路および第１のレジスタは、第１のスタートパルスによってトリガされる。有利には、最小ピーク値測定回路および第２のレジスタは第２のスタートパルスによってトリガされる。
【００２１】
また本発明による回路の評価装置が２対１マルチプレクサを含むようにすることができ、ここでこのマルチプレクサによって、選択的に切り換えが行われ、ビデオ信号間の差分の絶対値または第１の所定のデータワードが評価装置の出力側に導通される。このような２対１マルチプレクサは有利には各処理チャネルに設けることができる。
【００２２】
ノイズ信号のピーク値に対して誤った測定結果が出力されてしまうことを回避するため、有利には復号器が設けられており、この復号器によってノイズ信号の誤ったピーク値が第２の所定のデータワードによって、またはノイズ信号の最後の有効なピーク値によって置き換えられることが可能である。
【００２３】
【実施例】
ビデオ信号におけるノイズ成分を決定する本発明の回路の実施例を概略的に簡略化して図面に示す。
【００２４】
図１には、ビデオ信号のノイズ成分を決定する公知の回路装置のブロック回路図が示されている。ノイズの障害の影響を受けたビデオ信号は端子１に加えられ、このビデオ信号は一方では直接、他方では遅延装置２を介して、差分値および絶対値形成装置３の入力側に供給される。図示のケースでは、遅延装置２によってビデオ信号が１フレームの持続時間分だけ遅延される。このような遅延装置は従来技術において公知であり、有利にはデジタルフレームメモリによって実現される。装置３により、遅延させていないビデオ信号と、遅延させたビデオ信号との差分およびその絶対値が形成される。それはノイズ低減化への影響が、画像内容における変化の符号に依存しないようにしたいからである。
【００２５】
図１において略されて動き信号（motion signal）Ｌと示されている、出力側で取り出すことができる差分信号は、静止画の場合は実質的に、ビデオ信号の整流されたノイズ成分だけからなるが、動画の場合は連続する２つの画像の差分信号値の大きさを含み、これに整流されたノイズが重畳されている。動き信号Ｌは、最大ピーク値測定回路４に供給され、ここでは振幅最大値が探索窓ＳＦ内で決定される。探索窓は十分に小さく選択して、画像全体の探索窓のうちに動きの発生していない少なくとも１つの探索窓が見つかるようにしなければならない。１２ピクセル×８行のサイズの探索窓は、４：３の形式において標準の解像度を有するビデオ信号の場合に十分に適している。殊に高解像度のビデオ信号および／または別の画像形式が使用されている場合には別の探索窓サイズも可能であることはいうまでもないことである。図２にはフレームを６×６の探索窓に分割することが示されている。アプリケーションに依存して、より多くまたは少ない数の探索窓を選択することも可能である。
【００２６】
最大値に対する探索は、初期値Ｍ＝０を有するスタートパルスＳ１によってそれぞれ初期化される。探索中により大きな値（Ｌ＞Ｍ）が発生した場合、これが検出されて新たな基準値になる。つぎのスタートパルスＳ１によって、最後のＮ値がレジスタ５に受け付けられ、同時に新たな最大値探索が開始される。スタートパルスＳ１は各探索窓のはじめに発生して、各探索区画の終わりでは信号Ｎにより、探索窓において探索されたノイズのピーク値がそれぞれ得られるようにする。ビデオ信号がテレビジョン信号の場合、ビデオ信号の垂直帰線消去区間に最大値探索は、制御入力側に供給されるパルスＩＮＨによって中断される。レジスタ５に記憶された最大値から、最小ピーク測定回路６によって最小値が決定される。この最小値は、後置接続されたレジスタ７に保持され、測定期間の終わりに探索されたノイズのピーク値として出力される。最小ピーク値測定回路６およびレジスタはスタートパルスＳ２によってトリガされ、これは測定期間のはじめに発生する。測定期間の長さは、フレームの表示持続時間（representation duration）に相応する。
【００２７】
本発明によるビデオ信号におけるノイズ成分を決定する回路は、図３にブロック回路図で概略的に示されている。この回路は評価ユニット３１を有しており、２つのビデオ信号ＡおよびＢがその２つの入力側に加わっている。ビデオ信号Ｂは、ビデオ信号Ａに対して遅延段２の分だけ遅延されており、これについては図１に関連してすでに説明したとおりである。評価ユニット３１ではビデオ信号ＡおよびＢは、以下でより詳しく説明するように、その振幅に依存して別個の２つの処理チャネルに割り当てられる。上側の処理チャネル３２は、４０％〜１００％のレンジの振幅を有するビデオ信号に割り当てられ、これに対して下側の処理チャネル３３は０％〜６０％のレンジの振幅を有するビデオ信号に割り当てられている。この場合、１００％の振幅は回路の最大許容振幅に相応し、０％の振幅は値０を有する振幅に相応する。上記のレンジは有利な実施例として示しただけである。別の実施例では値の別のレンジを選択することが可能であり、個々の処理チャネル間の重なりレンジもこれとは別に選択することができる。本発明はまた２つの処理チャネルしか有しないこれらの回路に限定されることはなく、さらなる処理チャネルを設けることも可能である。本発明の動作の基本的な手法は、これによって影響を受けることはない。
【００２８】
ビデオ信号の振幅値に依存して評価ユニット３１により、ビデオ信号ＡおよびＢが処理チャネル３２および３３のうちにいずれか１つにそれぞれ割り当てられる。これにしたがい評価ユニット３１により、これらの２つのビデオ信号間の差分値が形成され、つぎに絶対値が形成される。最大ピーク値測定回路３４ａでは、探索窓内でビデオ信号の絶対差分値の最大値が決定され、これがレジスタ３５ａに記憶される。この場合、これらの探索窓はここでも１２ピクセル×８行のサイズで選択されている。これらの探索窓の別のサイズを選択することも可能である。フレームを複数の探索窓に分割することは図２に示されており、これについては図１に関連してすでに説明した。上記の記憶した最大値から、レジスタ３５ａに記憶されたすべての最大値の最小値が、最小ピーク値測定回路３６ａで決定され、これがレジスタ３７ａに記憶され、ノイズ信号のピーク値ＰＨとして出力側に出力される。最大ピーク値測定回路３４ａおよびレジスタ３５ａは、スタートパルスＳ１によってトリガされ、これは各探索窓のはじめに発生する。これに対して最小ピーク値測定回路３６ａおよびレジスタ３７ａはスタートパルスＳ２によってトリガされ、これは各フレームのはじめに発生する。
【００２９】
０％〜６０％の比較的低い振幅レンジに位置するビデオ信号はさらに処理チャネル３３で相応に処理される。処理チャネルの互いに相応する素子は、相応する参照符号を有しており、これらはインデックスａおよびｂが互いにそれぞれ異なっている。２つの処理チャネル３２および３３における信号処理は同じであり、繰り返しを省略することができる。レジスタ３７ｂの出力側では、振幅が比較的低い振幅レンジに位置するビデオ信号に対して、ノイズ信号のピーク値ＰＬが最終的に利用可能である。
【００３０】
ここまで述べてきたノイズ決定手法はＲＧＢ信号およびＹＵＶ信号の両方に適用可能であり、いずれの場合もノイズは成分信号毎に別個決定される。
【００３１】
図４には図３の評価ユニット３１が格段に詳しく示されている。入力されたビデオ信号Ａ，Ｂは比較ユニット４１ａおよび４１ｂにそれぞれ供給され、これによってビデオ信号ＡおよびＢの振幅が位置する振幅レンジが決定される。振幅が４０％〜１００％のレンジに位置する場合、比較ユニット４１ａおよび４１ｂにより、出力信号ＡＨおよびＢＨがその第１の出力側にそれぞれ出力される。信号の振幅が０％〜６０％のレンジに位置する場合、比較ユニット４１ａおよび４１ｂにより、第２の出力信号ＡＬおよびＢＬがその第２の出力側にそれぞれ出力される。出力信号ＡＨおよびＢＨは第１のゲート４２ａにおいて互いに論理的にＡＮＤがとられる。両方の信号ＡＨおよびＢＨが「ハイ」の場合、第１のゲート４２ａによって出力信号Valid-Hiが形成される。これに完全に相応して出力信号ＡＬおよびＢＬは第２のゲート４２ｂにおいて互いに論理的にＡＮＤがとられる。両方の信号ＡＬおよびＢＬが「ハイ」の場合、第２のゲート４２ｂによって出力信号Valid-Loが形成される。比較ユニット４１ａおよび４１ｂに供給されるビデオ信号ＡおよびＢは、差分および絶対値形成ユニット４３の入力側に並行して加えられる。その出力信号|Ｂ−Ａ|は、２つの入力信号間の差分の絶対値を表す。この出力信号|Ｂ−Ａ|は、各々の第１および第２の２対１マルチプレクサ４４ａおよび４４ｂにそれぞれ供給される。ＩＮＶ信号が第１および第２のマルチプレクサの各々の第２の入力側に加えられる。ここの実施例では選択されたＩＮＶ信号は、すべてのビットが「ハイ」にされたデータワードである。第１のマルチプレクサ４４ａの制御入力側は第１のゲート４２ａの出力側に接続されているため、Valid-Hi信号が「ハイ」の場合、マルチプレクサ４４ａによって絶対差分値信号|Ｂ−Ａ|が出力される。振幅が高い方の振幅レンジに位置するビデオ信号Ａ，Ｂからこの差分値信号が形成されたことを明示するため、図４ではこれを|Ｂ−Ａ|Ｈで示している。これに対してValid-Hi信号が「ロー」の場合、マルチプレクサ４４ａによってＩＮＶ信号が出力される。第２のマルチプレクサ４４ｂの制御入力側は、第２のゲート４２ｂの出力側に接続されているため、Valid-Loが「ハイ」の場合、マルチプレクサ４４ｂによって絶対差分値信号|Ｂ−Ａ|が出力される。振幅が低い方の振幅レンジに位置するビデオ信号Ａ，Ｂからこの差分値信号が形成されたことを明示するため、図４ではこれを|Ｂ−Ａ|Ｌで示している。他方でValid-Loが「ロー」の場合、マルチプレクサ４４ｂによってＩＮＶ信号が出力される。
【００３２】
通例の画像では、ビデオ信号は０〜１００％の間の振幅値で発生するため、相応するビデオ信号は両方の処理チャネル３２，３３で処理され、ノイズ信号に対する有利なピーク値は、各最小値探索の後に出力される。しかしながら１つのシーンが黒または白にクロスフェードされ、複数の画像の持続時間にわたってビデオ信号ＡとＢとの間に差分が生じないこともあり得る。この場合、すべてのビットが「ハイ」にセットされたＩＮＶ信号が形成されて、誤った測定が回避される。このＩＮＶ信号をさらに処理するため、本発明により２つの解決手段が提案される。
【００３３】
第１の解決手段は図５に示されており、ここでは分かりやすくするために処理チャネル３２だけが示されている。図５に示した回路は、全体として参照符号５１′が付され、破線で示されており、また図３では参照符号５１で示されている。第２の処理チャネル３３に対する相応の回路は、図には示されていない。図３に関連してすでに述べた最小ピーク値測定回路３６ａおよびレジスタ３７ａに加えて、回路５１は、すべてがゼロであるデータワードを形成する素子５２を有する。略してゼロ素子と称される素子５２は、２対１マルチプレクサ５３の第１入力側に接続されている。レジスタ３７ａの出力側は、マルチプレクサ５３の第２の入力側と復号器５４の入力側との両方に接続されており、これは、レジスタ３７ａによってデータワードが出力された場合、すべてのビットが「ハイ」に設定されているか否かを決定する。復号器５４の出力側は、マルチプレクサ５３の制御入力側に接続されている。復号器５４によって、すべてのビットが「ハイ」であるデータワードがレジスタ３７ａから読み出されたことが確認されると、復号器５４の出力側は「ハイ」になる。この結果、マルチプレクサ５３によって切り換えが行われ、ゼロ素子５２の出力信号が出力側に導通される。復号器の出力側が「ロー」のままである場合はいつでも、マルチプレクサ５３によって切り換えが行われ、レジスタ３７ａから読み出されたデータワードがその出力側に導通される。したがって回路５１により、すべてのビットが「ハイ」にセットされたデータワードが、すべてのビットが「ロー」にセットされたデータワードに変換される。この場合、結果的にノイズ信号のピーク値もゼロである。この選択は有利である。それは許容された振幅レンジ内にビデオ信号が発生していない場合、ノイズ信号が考慮されないからである。
【００３４】
図６には、誤ったノイズ測定を回避する第２の回路が概略的に示されている。この回路には全体として参照符号５１″が付されており、これは図５に示した回路５１′の択一的な回路として配置することが可能である。ここで回路５１′は、図３において参照符号５１で示したブロックの回路である。回路５１″の場合、最小ピーク値測定回路３６ａの出力側は、レジスタ３７ａの入力側と、復号器５４の入力側とに接続されている。復号器５４の出力側はＡＮＤ素子６２の反転入力側に接続されており、またスタートパルスＳ２がその第２の非反転入力側に加えられる。ＡＮＤ素子６２の出力側はレジスタ３７ａの制御入力側に接続されているため、すべてのビットが「ハイ」にセットされているデータワードが復号器５４によって検出されている間は、ノイズ信号の最後の有効なピーク値がレジスタ３７ａに保持される。各スタートパルスＳ２によって、新たな最小値探索ルーチンが開始され、これに対して最後の有効値がレジスタ３７ａの出力側に残る。
【００３５】
図５および６に示した回路は、完全に相応した手法で第２の処理チャネルにも使用可能である。
【図面の簡単な説明】
【図１】ビデオ信号におけるノイズ成分を決定する、従来技術から公知の回路のブロック回路図である。
【図２】ビデオ信号のパラメタを決定するために使用される探索窓の概略図である。
【図３】本発明の回路のブロック回路図である。
【図４】図３の評価ユニットをより詳細に示した概略図である。
【図５】図３の実施例の変形実施例を示す図である。
【図６】図３の実施例の別の変形実施例を示す図である。
【符号の説明】
１  端子
２  遅延装置
３  差分および絶対値形成装置
４  最大ピーク値測定回路
５  レジスタ
６  最小ピーク測定回路
７  レジスタ
３１  評価ユニット
３２，３３  処理チャネル
３４ａ，３４ｂ  最大ピーク値測定回路
３５ａ，３５ｂ  レジスタ
３６ａ，３６ｂ  最小ピーク値測定回路
３７ａ，３７ｂ  レジスタ
４１ａ，４１ｂ  比較ユニット
４２ａ  第１のゲート
４２ｂ  第２のゲート
４３  差分および絶対値形成ユニット
４４ａ  第１の２対１マルチプレクサ
４４ｂ  第２の２対１マルチプレクサ
５２  ゼロ素子
５３  マルチプレクサ
５４  復号器
６２  ＡＮＤ素子
Ｌ  動き信号
ＳＦ  探索窓
ＰＬ，ＰＨ  ノイズ信号のピーク値
Ｓ１  スタートパルス
Ｓ２  スタートパルス
【図１】
0004319848.tif 000002
【図２】
0004319848.tif 000003
【図３】
0004319848.tif 000004
【図４】
0004319848.tif 000005
【図５】
0004319848.tif 000006
【図６】
0004319848.tif 000007